(57)【要約】【課題】  本発明は、光ディスクのトラックの最終部分画素位置への画素の書込み方法を提供する。【解決手段】  最終部分画素位置を画定するようにトラックに非整数の画素位置を有する光ディスクの光学的に書き込み可能なラベル領域のトラックであって、前記最終部分画素位置のサイズが部分しきい値よりも大きいかどうか判定する段階（６０４）と、  前記最終部分画素位置の前記サイズが前記部分しきい値よりも大きいと判定したとき（６０６）に、前記最終部分画素位置に完全画素を書き込み、前記書き込まれた完全画素が前記トラックの第１完全画素位置と重なるようにする（６０８）光ディスクのトラックへの画素の書込み方法。【選択図】        図６
2005044502.tif 000002
【特許請求の範囲】
【請求項１】
最終部分画素位置を画定するようにトラックに非整数の画素位置を有する光ディスクの光学的に書き込み可能なラベル領域のトラックであって、前記最終部分画素位置のサイズが部分しきい値よりも大きいかどうか判定する段階と、
前記最終部分画素位置の前記サイズが前記部分しきい値よりも大きいと判定したときに、前記最終部分画素位置に完全画素を書き込み、前記書き込まれた完全画素が前記トラックの第１完全画素位置と重なるようにする光ディスクのトラックへの画素の書込み方法。
【請求項２】
前記最終部分画素位置の前記サイズが前記部分しきい値よりも大きいかどうかを判定する段階が、前記最終部分画素位置の幅が前記部分しきい値よりも大きいかどうか判定する段階を有することを特徴とする請求項１に記載の光ディスクのトラックへの画素の書込み方法。
【請求項３】
前記最終部分画素位置の前記サイズが前記部分しきい値よりも大きいかどうかを判定する段階が、前記最終部分画素位置の前記サイズが静的部分しきい値よりも大きいかどうかを判定する段階を有することを特徴とする請求項１に記載の光ディスクのトラックへの画素の書込み方法。
【請求項４】
前記部分しきい値を、前記最終部分画素位置に近い画素位置の画素の光学濃度に基づいて動的に決定する段階をさらに有する請求項１に記載の光ディスクのトラックへの画素の書込み方法。
【請求項５】
前記最終部分画素位置に近い画素位置の画素の明るさと暗さの測定基準に基づいて前記部分しきい値を動的に決定する段階をさらに有する請求項１に記載の光ディスクのトラックへの画素の書込み方法。
【請求項６】
前記部分しきい値を、前記最終部分画素位置に近い画素位置の画素の前記光学濃度に基づいて決定する段階が、前記部分しきい値を、前記最終部分画素位置に近い画素位置の画素の前記光学濃度を減算する定数として決定する段階を有することを特徴とする請求項５に記載の光ディスクのトラックへの画素の書込み方法。
【請求項７】
前記部分しきい値を、前記最終部分画素位置に近い画素位置の画素の前記光学濃度に基づいて決定する段階が、
前記最終部分画素位置に近い画素位置の画素の光学濃度が光学濃度しきい値よりも小さい場合に、前記部分しきい値を第１の値に設定する段階と、
前記最終部分画素位置に近い画素位置の画素の前記光学濃度が前記光学濃度しきい値よりも大きい場合に、前記部分しきい値を、前記第１の値よりも小さい第２の値に設定する段階とを有することを特徴とする請求項５に記載の光ディスクのトラックへの画素の書込み方法。
【請求項８】
前記最終部分画素位置に前記完全画素を書き込む段階が、最初に、前記光ディスクの前記光学的に書き込み可能なラベル領域に書き込む画像から、前記最終部分画素位置に書き込む前記完全画素をサンプリングする段階を有することを特徴とする請求項１に記載の光ディスクのトラックへの画素の書込み方法。
【請求項９】
前記最終部分画素位置の前記サイズが前記部分しきい値よりも大きいかどうかを判定し、前記最終部分画素位置の前記サイズが前記部分しきい値よりも大きいと判定したときに、前記光ディスクの前記光学的に書き込み可能なラベル領域の複数の他のトラックのそれぞれの前記最終部分画素位置に前記完全画素を書き込む段階をさらに有する請求項１に記載の光ディスクのトラックへの画素の書込み方法。
【請求項１０】
光ディスクの光学的に書き込み可能なラベル領域の非整数の画素位置を有するトラックの累積ギャップ値をリセットする段階を有し、
前記トラックの複数の連続パスのうちの各連続パスが、前記トラックの画素位置に画素を選択的に書き込むたびに、
前記パスの前記最終部分画素位置のサイズを前記累積ギャップ値に加え、
前記累積ギャップ値が前記部分しきい値よりも大きいかどうか判定し、
前記累積ギャップ値が前記部分しきい値よりも大きいと判定したときに、
前記書き込まれた完全画素が、前記パスの第１完全画素位置に重なり、かつ次のパスの第１完全画素位置が、書き込まれた前記完全画素の近くに画定されるように、パスの最終部分画素位置に完全画素を書き込み、
前記累積ギャップ値から前記書き込まれた完全画素の前記サイズを減算する段階とを有する光ディスクのトラックへの画素の書込み方法。
【発明の詳細な説明】
【技術分野】
【０００１】
本発明は、光ディスクのトラックの最終部分画素位置への画素の書込み方法に関する。
【背景技術】
【０００２】
コンピュータ・ユーザは、様々な目的で書き込み可能および書き換え可能光ディスクを使用する。コンピュータ・ユーザは、保存または配布の目的でディスクにプログラムまたはデータを保存することがある。ＣＤタイプのディスクの場合、ユーザは、オーディオＣＤプレーヤで再生できる音楽ＣＤを作成したり、専用ＣＤプレーヤで再生できるＭＰ３ファイルなどの音楽データをＣＤに保存したりすることがある。ＤＶＤタイプのディスクの場合、ユーザは、ＣＤタイプのディスクよりも大きい記憶容量を使用でき、独立型ＤＶＤプレーヤで再生できるビデオＤＶＤを作成できる場合がある。
【０００３】
光ディスクの多くのタイプは、データ面とラベル面を含む。データ面は、データを書き込む場所であり、それに対してラベル面は、ユーザが光ディスクにラベルを付けることを可能にする。残念ながら、ラベル付けは、本職でなく手間がかかり、かつ／または費用のかかるプロセスである。光ディスク書き込み用マーカーペンを使用することができるが、結果は、明らかに素人臭く見える。インクジェットや他のタイプのプリンタで印刷できる特別な切込み入りのラベルを使用することもできるが、これは手間のかかるプロセスであり、例えば、ラベルをディスク上に慎重に位置合わせしなければならない。ディスクに直接印刷する専用プリンタを使用することができるが、そのようなプリンタはかなり高価である。２００１年１０月１１日に出願され米国出願番号０９／９７６，８７７が付与された「Ｉｎｔｅｇｒａｔｅｄ  ＣＤ／ＤＶＤ  Ｒｅｃｏｒｄｉｎｇ  ａｎｄ  Ｌａｂｅｌ」と題する特許出願には、これらの問題点に対する解決策が示されており、この出願では、光ディスクにラベル付けするためにレーザが使用されている。
【特許文献１】米国出願番号０９／９７６，８７７
【発明の開示】
【発明が解決しようとする課題】
【０００４】
光ディスクの光学的に書き込み可能なラベル面に書き込む際の２つの関心事は、画質と速度である。光ディスクのラベル面に光学的に書き込むときに、ユーザは、一般にできるだけ最高品質の画像を望む。しかしながら、光ディスクに対して読み書きする大容量記憶装置はこれまで、ラベルのマーキングではなくデータ記憶に最適化されていたため、装置の特性は、光ディスクのラベル面に書き込まれる画像の品質に影響を及ぼすことがある。また、ユーザは、通常、光ディスクのラベル面に光学的に書き込むときに最高速度を望む。しかしながら、この場合も、光ディスク大容量記憶装置がこれまで、光ディスクのデータ面への書き込みに最適化されていたので、装置の特性が、光ディスクのラベル面にマークできる速度に影響を及ぼすことがある。
【０００５】
本発明は、上記課題を解決するため、光ディスクのトラックの最終部分画素位置への画素の書込み方法を提供することを目的とする。
【課題を解決するための手段】
【０００６】
本発明の１つの実施形態の方法は、トラックに非整数の画素位置を有する光ディスクの光学的に書き込み可能なラベル領域のトラックに関して、最終部分画素位置が画定されるようにするものである。この方法は、最終部分画素位置のサイズが部分しきい値よりも大きいかどうかを判定する。最終部分画素位置のサイズが部分しきい値よりも大きいと判定したとき、方法は、完全画素を最終部分画素位置に書き込み、書き込まれた完全画素がトラックの第１完全画素位置に重なるようにする。
【０００７】
本明細書で参照する図面は、本明細書の一部分を構成する。図面に示した特徴は、明示的に示さない限り、本発明のいくつかの実施形態の例示として表されたものであり、本発明のすべての実施形態とは限らない。
【発明を実施するための最良の形態】
【０００８】
本発明の例示的な実施形態に関する以下の詳細な説明において、本明細書の一部を構成する添付図面を参照し、図面は、実例として、本発明を実施することができる特定の例示的な実施形態を示す。これらの実施形態は、当業者が本発明を実施できるように十分に詳細に示される。
他の実施形態を利用することができ、本発明の趣旨または範囲から逸脱することなく論理的、機械的および他の変更を行うことができる。したがって、以下の詳細な説明は、限定の意味にとられるべきでなく、本発明の範囲は、併記の特許請求の範囲によってのみ定義される。
【０００９】
（トラックの最終部分画素位置への画素の選択的書込み）
図１は、本発明の実施形態による光ディスク１００を示す。光ディスク１００は、コンパクトディスク（ＣＤ）、ディジタル多目的ディスク（ＤＶＤ）、または別のタイプの光ディスクでよい。光ディスク１００は、図１に示した光学的に書き込み可能なラベル面１０２と、光ディスク１００の反対側の光学的に書き込み可能なデータ面１０４を有する。光学的に書き込み可能なラベル面１０２の例は、詳細には、２００１年１０月１１日に出願され米国出願番号０９／９７６，８７７号が付与された「Ｉｎｔｅｇｒａｔｅｄ  ＣＤ／ＤＶＤ  Ｒｅｃｏｒｄｉｎｇ  ａｎｄ  Ｌａｂｅｌ」と題する特許出願に開示されている。ラベル面１０２に画像が書き込まれ、その結果、ラベル面１０２に、画像の画素が選択的かつ対応して光学的に書き込まれる。
【００１０】
光学的に書き込み可能なラベル領域が、光ディスク１００の光学的に書き込み可能なデータ領域と同じ側にあってもよいので、ラベル面１０２は、より一般的にはラベル領域であり、データ面１０４は、より一般的にはデータ領域である。また、光ディスク１００は、内側縁１０６と外側縁１０８を有する。また、光ディスク１００は、集合的にトラック１１０と呼ばれる多数の同心環状トラック１１０Ａ，１１０Ｂ，．．．１１０Ｎを有する。レーザなどの光学マーキング機構が、トラック１１０のマーキング位置または画素位置に、マークすなわち画素を書き込むことができる。さらに、本明細書で使用している光ディスクという用語は、回転している間にラベル付けし、すなわちマーキングを書き込むことができる任意の円形媒体を含む。
【００１１】
図２は、部分的トラック２００であり、このトラック２００は、本発明の実施形態による図１の光ディスク１００の光学的に書き込み可能なラベル面１０２のトラック１１０のうちの任意のトラックを表す。部分的トラック２００は、第１完全画素位置２０２Ａから始まり、矢印２０４Ａと２０４Ｂで示したようにトラックをたどり、最終完全画素位置２０２Ｎで終わるいくつかの完全画素位置（ｃｏｍｐｌｅｔｅ  ｐｉｘｅｌ  ｐｏｓｉｔｉｏｎ）を有する。完全画素位置２０２Ａ，２０２Ｂ，．．．２０２Ｎは、集合的に、完全画素位置２０２と呼ばれる。完全画素すなわちマーキングは、完全画素位置２０２のどこにも書き込まれてもよい。画素位置２０２はそれぞれ、同じ幅のような同じサイズを有する。画素位置２０２は、隣り合った画素位置２０２が互いに接触しているが重ならないように、接線方向に隣り合っていてもよい。さらに、１つの実施形態において、書き込まれる画素またはマーキングは、図２に示したような円形ではなく楕円であり、最大光学濃度を達成するために隣り合ったマークが僅かに重なっている。
【００１２】
最終完全画素位置２０２Ｎと第１完全画素位置２０２Ａの間には、最終部分画素位置（ｌａｓｔ  ｆｒａｃｔｉｏｎａｌ  ｐｉｘｅｌ  ｐｏｓｉｔｉｏｎ）２０６と呼ばれるギャップがある。最終部分画素位置２０６は、位置２０６が、任意の画素位置２０２の幅のようなどの完全画素位置２０２のサイズよりも小さくかつその小部分の幅のようなサイズを有するという点で部分的（ｆｒａｃｔｉｏｎａｌ）である。したがって、トラック２００には、完全画素位置２０２と部分画素位置２０６を包含する非整数の完全画素位置がある。部分画素位置２０６のサイズが、どの完全画素位置２０２のサイズよりも小さくかつ小部分であるため、トラック２００にある完全画素位置の総数は非整数になる。
【００１３】
図３は、光学的に書き込み可能なラベル面１０２のトラック１１０の完全画素位置の５０パーセントに画素が書き込まれたときの光ディスク１００を示す。すなわち、光ディスク１００のラベル面１０２に書き込まれた画素の光学濃度は５０パーセントであり、従って実質的に１つおきの画素位置に画素が書き込まれている。薄い放射状の線（ｆａｉｎｔ  ｒａｄｉａｌ  ｌｉｎｅ）３０２が、内側縁１０６から外側縁１０８まで識別でき、図３では説明が分かりやすいように誇張されている。放射状の線３０２は、トラック１１０の画素が何も書き込まれていない最終部分画素位置によって生じる。トラック１１０の部分画素位置は、少なくとも実質的に同一直線上にあり、その結果薄い放射状の線３０２ができる。図３に示したシナリオは、詳細な説明で後で示すように、本発明の実施形態によって回避される。
【００１４】
図４は、光学的に書き込み可能なラベル面１０２のトラック１１０の完全画素位置の５０パーセントに画素が書き込まれており、かつトラック１１０のすべての部分画素位置に画素が書き込まれたときの光ディスク１００を示す。すなわち、光ディスク１００のラベル面１０２に書き込まれた画素の光学濃度は５０パーセントであり、従って実質的に１つおきの画素位置に１つの画素が書き込まれている。薄いベタの放射状の線（ｆａｉｎｔ  ｓｏｌｉｄ  ｒａｄｉａｌ  ｌｉｎｅ）４０２が、内側縁１０６から外側縁１０８まで識別でき、図４では説明を分かりやすくするために誇張されている。放射状の線４０２は、画素が書き込まれたトラック１１０の最終部分画素位置によるものである。この場合もトラック１１０の部分画素位置は、実質的に同一直線上にあり、その結果、薄いベタの放射状の線４０２ができる。また、図４に示したシナリオは、次に説明するような、本発明の実施形態によって回避される。
【００１５】
図５は、本発明の実施形態による１対の隣り合ったトラック５０２および５０４を示し、これらのトラックは、図１の光ディスク１００の光学的に書き込み可能な面１０２の任意の隣り合った１対のトラック１１０を表すことができる。トラック５０２は、第１完全画素位置５０６Ａ、最終完全画素位置５０６Ｂ、および最後のはんぱな、あるいは一部分の画素位置（ｌａｓｔ  ｆｒａｃｔｉｏｎａｌ，  ｏｒ  ｐａｒｔｉａｌ，  ｐｉｘｅｌ  ｐｏｓｉｔｉｏｎ）５０８を有する。部分画素位置５０８のサイズすなわち幅は、完全画素位置５０６Ａおよび５０６Ｂのサイズすなわち幅よりも小さい。同様に、トラック５０４は、第１完全画素位置５１０Ａ、最終完全画素位置５１０Ｂ、および最終の部分画素位置５１２を有する。部分画素位置５１２のサイズすなわち幅は、完全画素位置５０６Ａおよび５０６Ｂのサイズすなわち幅と等しい完全画素位置５１０Ａおよび５１０Ｂのサイズすなわち幅よりも小さい。
【００１６】
トラック５０２および５０４が、円形でかつ互いに同心であるので、トラック５０２の円周は、トラック５０４の円周よりも小さい。したがって、トラック５０４は、トラック５０２が有するよりも多くの完全画素位置を有することができる。したがって、トラック５０４の最終部分画素位置５１２は、トラック５０２の最終部分画素位置５０８よりも小さいことも大きいこともある。これは、所定のトラック内に残された部分画素位置に対応するギャップのサイズが、完全画素位置のサイズにトラック上の完全画素位置の数を掛け、それをトラックの円周から引いたものに等しいからである。図５に示したように、最終部分画素位置５１２は、説明的な例として、トラック５０２の最終部分画素位置５０８よりも大きい。
【００１７】
トラックの部分画素位置がしきい値よりも大きい場合、トラックの部分画素位置に完全画素が書き込まれ、その結果、完全画素が、トラックの第１完全画素位置と重なる。部分画素位置に書き込まれた完全画素は、光ディスクの光学的に書き込み可能なラベル面のトラックに書き込まれた画像からサンプリングまたはマッピングすることができる。しかしながら、トラックの部分画素位置がしきい値よりも小さい場合は、トラックの部分画素位置に完全画素は書き込まれない。
【００１８】
したがって、図５に示したように、トラック５０２の部分画素位置５０８のサイズはしきい値よりも小さく、その結果、部分画素位置５０８に完全画素が書き込まれていない。これに対して、トラック５０４の部分画素位置５１２のサイズはしきい値よりも大きく、その結果、部分画素位置５１２に完全画素５１４が書き込まれている。完全画素５１４は、トラック５０４の画素位置５１０Ａおよび５１０Ｂと等しいサイズを有する。その結果、そのサイズは、部分画素位置５１２のサイズよりも大きくなり、したがって、トラック５０４の第１完全画素位置５１０Ａと部分的に重なる。
【００１９】
光ディスクの光学的に書き込み可能なラベル面のトラックの部分画素位置に完全画素を選択的に書き込むことによって、本発明の実施形態は、図３と図４に示されたシナリオを回避する。図３において、例えば、しきい値よりも大きいサイズを有する薄い線３０２を形成する部分画素位置のいくつかに完全画素が書き込まれて薄い線３０２が消滅するため、薄い放射状の線３０２はできない。図４において、薄い線４０２を構成し、かつ、しきい値よりも大きいサイズを有する部分画素位置に完全画素が書き込まれ、したがってそのような部分画素位置のすべてに完全画素が書き込まれるわけではないので、薄いベタの放射状の線４０２は生じない。
【００２０】
図６は、本発明の実施形態による、光ディスクの光学的に書き込み可能なラベル面のトラックの部分画素位置に完全画素を選択的に書き込む方法６００のフローチャートを示す。所定のトラックに関して、部分しきい値（ｆｒａｃｔｉｏｎａｌ  ｔｈｒｅｓｈｏｌｄ）を決定し（６０２）、それと最終部分画素位置のサイズが比較される。部分しきい値は、トラックごとに決定することができ、その結果、部分しきい値は、動的な可変のしきい値になる。代替として、部分しきい値は、すべてのトラックに同じになるように設定されてもよく、その結果、部分しきい値は、静的で変化しないしきい値になる。
【００２１】
方法６００は、トラックの最終部分画素位置のサイズが、部分しきい値よりも大きいかどうか判定する（６０４）。これは、トラックの最終部分画素位置の幅を部分しきい値と比較することによって実現されることがある。最終部分画素位置のサイズが、部分しきい値よりも大きい場合（６０６）は、部分画素位置に完全画素が書き込まれる（６０８）。部分画素位置に書き込まれた完全画素は、光ディスクの光学的に書き込み可能なラベル面に書き込まれた画像からサンプリングまたはマッピングすることができる。したがって、書き込まれた画像からサンプリングされた完全画素が完全に白の画素の場合は、最終部分画素位置のサイズが部分しきい値よりも大きい場合でも、実際には、部分画素位置に画素が書き込まれない。いずれの場合も、まだ他のトラックがある場合（６１０）、方法６００は、別のトラックに対して繰り返される（６１２）。最後に、方法６００は、終了する（６１４）。
【００２２】
（最終部分画素位置にいつ書き込むかを判定する動的しきい値）
以上示したように、光ディスクの光学的に書き込み可能なラベル面の所定のトラックの最終部分画素位置のサイズを比較する部分しきい値は、静的なしきい値でもよく、可変すなわち動的なしきい値でもよい。１つの実施形態において、部分しきい値は、しきい値と比較される最終部分画素位置のトラックによって変化する可変すなわち動的なしきい値である。より詳細には、動的しきい値は、最終部分画素位置に近い画素位置の画素の光学濃度に基づいて決定されてもよい。また、動的しきい値は、当該技術分野において知られているような、Ｌ＊などの、近くの画素位置の画素の明るさと暗さを測定する他の測定基準に基づいて決定されてもよい。
【００２３】
図７は、本発明の実施形態による、様々な最終部分画素位置に近い画素位置の光学画素濃度に関する２つの極端なシナリオの例を示す。トラック７０２と７０４は、光ディスクの光学的に書き込み可能なラベル面上にあり、図１の光ディスク１００の光学的に書き込み可能なラベル面１０２のトラック１１０のうちの２つを表すことができる。トラック７０２は、最終部分画素位置７０６を有し、トラック７０４は、最終部分画素位置７０８を有する。
【００２４】
画素位置７１２のような、トラック７０２の最終部分画素位置７０６に近い画素位置は、画素が書き込まれておらず、したがって、図７では、それらの位置は、塗りつぶされていないように示されている。したがって、最終部分画素位置７０６に近い画素位置の画素の光学濃度は、０のような最小値である。これと比較して、画素位置７１０のように、トラック７０４の最終部分画素位置７０８に近い画素位置は、画素が書き込まれており、したがって、それらの画素位置は、図７において、塗りつぶされているように示されている。したがって、最終部分画素位置７０８に近い画素位置の光学画素濃度は、１のような最大値であり、この場合、光学濃度は、０から１まで変化することがある。
【００２５】
最終部分画素位置に近い画素位置の画素の光学濃度を決定するために調べられる所定の最終部分画素位置を取り囲む画素位置の数は、変更可能に設定することができる。例えば、図７のシナリオにおいて、トラックの最終部分画素位置に近い画素位置の光学画素濃度を決定するために、所定のトラックとその隣り合った２つの各トラックの最初の２つの画素位置と最後の２つの画素位置が調べられる。もう１つの実施形態において、例えば、部分画素位置から所定の画素位置半径内にある画素位置を調べて、最終部分画素位置に対する画素位置の光学画素濃度を決定することができる。
【００２６】
また、様々な手法を使用して、最終部分画素位置に近い画素位置の光学画素濃度に基づいて、所定のトラックの最終部分画素位置の部分しきい値を決定することができる。１つの実施形態において、部分しきい値は、定数から所定の光学画素濃度を引いたものとして決定されることがある。したがって、大きな光学画素濃度を有する最終部分画素位置ほど低い部分しきい値を有し、その結果、そのような部分画素位置に完全画素が書き込まれる可能性が大きくなる。これは、最終部分画素位置に近い画素位置の光学画素濃度が高い場合に、最終部分画素位置に画素を書き込むことで、最終部分画素位置がその近くの完全画素位置と視覚的に混ざる可能性が高くなるため望ましい。
【００２７】
図８は、本発明の実施形態による、最終部分画素位置に近い画素位置の光学画素濃度に基づいてトラックの最終部分画素位置の部分しきい値を決定する方法８００を示す。最初に、最終部分画素位置に近い画素位置の画素の光学濃度を決定する（８０２）。所定の光学濃度が光学濃度しきい値よりも小さい場合（８０４）、最終部分画素位置の部分しきい値は、大きい方の第１の値に設定される（８０６）。しかしながら、所定の光学濃度が光学濃度しきい値よりも大きい場合は、部分しきい値は、小さい方の第２の値に設定される（８０８）。
【００２８】
したがって、部分しきい値は、最終部分画素位置に近い画素位置の光学画素濃度がしきい値よりも大きいか小さいかによって、２つの異なる値のうちの一方の値をとることができる。光学画素濃度がしきい値よりも小さい場合、部分しきい値は、第２の値よりも大きい第１の値に設定され、その結果、最終部分画素位置に完全画素が書き込まれる可能性は低くなる。光学画素濃度がしきい値よりも大きい場合、部分しきい値は第１のよりも小さい第２の値に設定され、その結果、完全画素が最終部分画素位置に書き込まれる可能性が高くなる。これにより、前述のように、最終部分画素位置は、まわりの近くの完全画素位置と視覚的に混ざるように画素が書き込まれる。
【００２９】
（複数のトラック・パスにおける最終部分画素位置への選択的な書き込み）
画素は、一般に、光ディスクの内側縁からディスクの外側縁まで各トラックの上を１回通り、トラック上の画素位置に画素を選択的に書き込むことによって、光ディスクの光学的に書き込み可能なラベル面のトラック上の画素位置に画像に従って書き込まれる。しかしながら、代替として、画素が、各トラックの上を複数回通ることによってトラック上の画素位置に書き込まれてもよい。画素は、トラック上の各パスにおいて画素位置に選択的に書き込まれる。光ディスクの光学的に書き込み可能なラベル面の各トラック上を複数回通ることにより、利点の中でも特に、ラベル面にグレースケールおよび／またはカラー画像を書き込むことができる。
【００３０】
図９Ａ、図９Ｂ、および図９Ｃは、本発明の実施形態による、３回のパスにわたる光ディスクの光学的に書き込み可能なラベル面のトラックの最終部分画素位置を示す。トラック９００は、光ディスクの光学的に書き込み可能なラベル面にあり、図１の光ディスク１００の光学的に書き込み可能なラベル面１０２のトラック１１０のうちの２つを表すことができる。図９Ａにおいて、トラック９００上の第１のパスが、第１完全画素位置９０２で始まり、最終完全画素位置９０４で終わり、画素位置９０２と９０４の間に最終部分画素位置９０６が残る。例として、最終部分画素位置９０６に完全画素が書き込まれないと仮定すると、トラック９００は、第１のパスの後で最終部分画素位置９０６のサイズすなわち幅の累積ギャップと呼ばれるものを有する。各トラック上の複数のパスがある本発明の実施形態の場合、各パスの後で、累積ギャップ値が、トラック上の任意の所定のパスの最終部分画素位置ではなく、部分しきい値と比較されることが好ましい。
【００３１】
図９Ｂにおいて、第２のパスの第１完全画素位置９０２’は、第１のパスの最終完全画素位置９０４の終わりで始まり、最終完全画素位置９０４’で終わり、画素位置９０２’と９０４’の間に最終部分画素位置９０６’が残る。第１のパスの画素位置９０２と９０４および最終部分画素位置９０６は、図９Ｂに実線で示された第２のパスの画素位置９０２’と９０４’および最終部分画素位置９０６’からよりはっきりと区別するために、図９Ｂでは点線で表されている。パスが同じトラック９００上にあるので、第２のパスの最終部分画素位置９０６’は、第１のパスの最終部分画素位置９０６のサイズと等しいサイズを有する。しかしながら、第２のパスの後の累積ギャップ値は、最終部分画素位置９０６のサイズと最終部分画素位置９０６’のサイズを足したものである。これは、第１のパスの完全画素位置９０２と第２のパスの最終完全画素位置９０４’の間の距離を表す。
【００３２】
第２のパスの後の累積ギャップ値が部分しきい値よりも大きいと仮定すると、第２のパスの第１完全画素位置９０２’と重なる最終部分画素位置９０６’に完全画素が書き込まれ、その後で、第３のパスが始まる。したがって、図９Ｃにおいて、最終部分画素位置９０６’に完全画素９０８が既に書き込まれている。完全画素９０８は、第２のパスの最終完全画素位置９０４’の隣りにあり、第２のパスの第１完全画素位置９０２’と重なっている。第３のパスは、書き込まれた完全画素９０８の接線方向隣りにある第１完全画素位置９０２’で始まる。
【００３３】
その結果、第３のパスが始まる前に、累積ギャップ値は、既に書き込まれている完全画素９０８のサイズすなわち幅だけ減少し、負の値のこともある。累積ギャップ値は、完全画素９０８のサイズだけ減少し、その結果、累積ギャップ値が、第１のパスの第１完全画素位置９０２の始めと書き込まれたばかりの完全画素９０８の終りの間の距離と等しくなる。したがって、累積ギャップ値は、所定のパスにおいて、第１のパスの第１完全画素位置と、現行パスの最終完全画素位置または画素が既に書き込まれている現行パスの最終部分画素位置に書き込まれた完全画素との距離である。
【００３４】
したがって、図９Ａ、図９Ｂ、および図９Ｃと関連して説明したトラック９００の上のパスは、連続的なパスである。すなわち、１つのパスは、完全画素位置あるいは最終部分画素位置に書き込まれた完全画素に対して、前のパスが終わった場所のすぐ隣りで始まる。したがって、累積ギャップ値は、各パスで最終部分画素位置のサイズだけ増大し、その結果、１つのパスの第１完全画素位置は、前のパスの最終完全画素位置が終わる場所で始まり、その場合、所定のパスの最終部分画素位置には完全画素が書き込まれない。所定のパスの最終部分画素位置に完全画素が書き込まれた場合は、次のパスに進む前に累積ギャップ値から完全画素のサイズが減算され、次のパスの第１完全画素位置は、既に書き込まれている完全画素の接線方向近くで始まるように画定される。
【００３５】
例えば、図９Ｂにおいて、第１のパスの最終部分画素位置９０６に完全画素が書き込まれていないので、第２のパスの第１完全画素位置９０２’は、第１のパスの最終完全画素位置９０４の終わりで始まる。さらに、図９Ｃにおいて、第３のパスの第１完全画素位置９０２’は、第２のパスの最終部分画素位置９０６’に書き込まれた最終完全画素９０８の終わりで始まる。図９Ａの第１のパスの後で、累積ギャップ値は、最終部分画素位置９０６のサイズと等しい。累積ギャップ値は、図９Ｂの第２のパスの後で最終部分画素位置９０６’のサイズだけ増大するが、図９Ｃで第３のパスが始まる前に部分画素位置９０６’に書き込まれた完全画素９０８のサイズだけ減少する。
【００３６】
図１０は、本発明の実施形態により、トラック上で複数回のパスが行われる場合に光ディスクの光学的に書き込み可能なラベル面のトラックの最終部分画素位置に完全画素を選択的に書み込む方法１０００を示す。方法１０００を実行した結果として、図９Ａ、図９Ｂ、および図９Ｃに関して示したシナリオの例を得ることができる。所定のトラックに関して、累積ギャップ値は、例えば０にリセットされることによって、最初にリセットされる（１００２）。次に、トラックの複数回のパスの各パスごとに（１００４）、多数のタスクが実行される。
【００３７】
最初に、累積ギャップ値に、現行パスの最終部分画素位置のサイズが加えられる（１００６）。同じトラック上の各パスの最終部分画素位置は同じである。次に、方法１０００は、累積ギャップ値が、既に説明したような、部分しきい値よりも大きいかどうか判定し（１００８）、この部分しきい値は、静的しきい値でも可変しきい値でもよい。累積ギャップ値が部分しきい値よりも大きい場合（１０１０）は、現行パスの最終部分画素位置に完全画素が書き込まれ（１０１２）、その結果、完全画素が画像からサンプリングされるケースにおいて、画素が実際に書き込まれていない状態で、画像からサンプリングされた画素は完全に白の画素である。次に、幅のような書き込まれた完全画素のサイズが、累積ギャップ値から減算される（１０１４）。
【００３８】
既に述べたように、最終部分位置に書き込まれた完全画素は、複数回のパスにわたって、光ディスクの光学的に書き込み可能なラベル面のトラックに対応的かつ選択的に書き込まれた画像からサンプリングされることがある。所定のトラックのパスがすべて実行された後で、追加のトラックがある場合（１０１６）は、方法１０００が次のトラックに繰り返される（１０１８）。最後に、方法１０００は終了する（１０２０）。
【００３９】
（大容量記憶装置と結論）
図１１は、本発明の実施形態による大容量記憶装置１１００を示す。大容量記憶装置１１００は、光ディスク１００に対して読み書きするためのものである。より具体的には、大容量記憶装置１１００は、光ディスク１００の光学的に書き込み可能なデータ領域および／または光ディスク１００の光学的に書き込み可能なラベル領域に対して読み書きするためのものである。大容量記憶装置１１００は、光線源１１０２Ａと対物レンズ１１０２Ｂを含み、これらは、集合的に光学マーキング機構１１０２と呼ばれる。また、記憶装置１１００は、スピンドル１１０６Ａ、スピンドル・モータ１１０６Ｂ、およびロータリ・エンコーダ１１０６Ｃを含み、これらは集合的に第１のモータ機構１１０６と呼ばれる。装置１１００は、スレッド（ｓｌｅｄ）１１０８Ａ、スレッドモータ１１０８Ｂ、直線エンコーダ１１０８Ｃ、およびレール１１０８Ｄを含み、これらは、集合的に、第２のモータ機構１１０８と呼ばれる。最後に、大容量記憶装置１１００は、コントローラ１１１０を含む。
【００４０】
光学マーキング機構１１０２は、少なくとも光ディスク１００のラベル面１０２にマーキングするために光ディスク１００上に光線１１０４を集束させ、また、ディスク１００のラベル面１０２から読み出し、さらにディスク１００のデータ面１０４に対して読み書きするために使用されることもある。具体的には、光線源１１０２Ａは、当業者に知られているように、対物レンズ１１０２Ｂによって光ディスク１００上に集束される光線１１０４を発生する。
【００４１】
第１のモータ機構１１０６は、光ディスク１００を回転させる。具体的には、光ディスク１００は、スピンドル１１０６Ａ上に配置され、スピンドル１１０６Ａは、スピンドルモータ１１０６Ｂによって、スピンドル・モータ１１０６Ｂに通信可能に結合されたロータリ・エンコーダ１１０６Ｃによって指定された所定の位置まで回転または移動される。ロータリ・エンコーダ１１０６Ｃは、ハードウェア、ソフトウェア、またはハードウェアとソフトウェアの組合せを含むことができる。
【００４２】
第２のモータ機構１１０８は、光学マーキング機構１１０２を光ディスク１００の半径方向に移動させる。具体的には、光学マーキング機構１１０２は、スレッド１１０８Ａの上に配置され、スレッドは、スレッドモータ１１０８Ｂによって、レール１１０８Ｄ上を、スレッドモータ１１０８Ｂに通信可能に結合された直線エンコーダ１１０８Ｃによって指定された所定の位置まで移動される。直線エンコーダ１１０８Ｃは、ハードウェア、ソフトウェア、またはハードウェアとソフトウェアの組み合せを含むことがある。
【００４３】
コントローラ１１１０は、マーキング機構１１０２およびモータ機構１１０６と１１０８を制御して、ラベル面１０２のトラックに書き込まれる画像に従うように、光ディスク１００の光学的に書き込み可能なラベル面１０２のトラック上の画素位置またはマーキング位置にマーキングまたは画素を書き込ませる。また、コントローラ１１１０は、マーキング機構１１０２およびモータ機構１１０６と１１０８を制御して、光ディスク１００のデータ面１０４にデータを書き込むことができる。１つの実施形態において、コントローラ１１１０は、詳細な説明の前節で説明したように、光ディスク１００のラベル面１０２のトラックの最終部分マーキングまたは画素位置にマーキングまたは画素を選択的に書き込むことができる。コントローラ１１１０は、ハードウェア、ソフトウェア、またはハードウェアとソフトウェアの組み合せを含むことができる。
【００４４】
さらに、コントローラ１１１０は、ファームウェアを含むことができ、より一般には、大容量記憶装置１１００は、アップグレードすることができるファームウェアを含むことができる。したがって、１つの実施形態において、コンピュータ可読媒体に記憶されたコンピュータ・プログラムを実行して、ファームウェアをアップグレードすることができる。これは、ファームウェアを大容量記憶装置１１００、例えばそのコントローラ１１１０に転送することを必要とする。例えば、ファームウェアは、一般には大容量記憶装置１１００、具体的にはそのコントローラ１１１０が、既に述べたような、光ディスク１００のラベル面１０２のトラックの最終部分マーキングまたは画素位置にマーキングまたは画素を選択的に書き込むことができるようにする。
【００４５】
当業者によって理解されるように、大容量記憶装置１１００内に描かれた構成要素は、本発明の１つの実施形態を表し、本発明のすべての実施形態を限定するとは限らない。また他の手法を使用することもできる。単に１つの例として、スレッド１１０８Ａは、スレッドモータ１１０８Ｂによって、光線源１１０２Ａおよび／または対物レンズ１１０２Ｂに取り付けられたボイス・コイルを使用して得られたより細かく調整された状態で位置決めされる。
【００４６】
図１２は、本発明の実施形態による図１１の大容量記憶装置１１００の製造方法１２００を示す。方法１２００は、光学マーキング機構１１０２を提供する段階（１２０２）と、第１のモータ機構１１０６を提供する段階（１２０４）と、第２のモータ機構１１０８を提供する段階（１２０６）と、コントローラ１１１０を提供する段階（１２０８）とを含む。１つの実施形態において、光学マーキング機構１１０２を提供する段階は、光線源１１０２Ａを提供する段階（１２１０）と対物レンズ１１０２Ｂを提供する段階と（１２１２）を含み、一方、１つの実施形態において第１のモータ機構１１０６を提供する段階は、スピンドル１１０６Ａを提供する段階（１２１４）と、スピンドル・モータ１１０６Ｂを提供する段階（１２１６）と、ロータリ・エンコーダ１１０６Ｃを提供する段階（１２１８）と含む。最後に、１つの実施形態において第２のモータ機構１１０８を提供する段階は、スレッド１１０８Ａを提供する段階（１２２０）と、スレッドモータ１１０８Ｂを提供する段階（１２２２）と、直線エンコーダ１１０８Ｃを提供する段階（１２２４）とを含む。
【００４７】
本明細書において特定の実施形態を示し説明したが、当業者は、本発明の開示した実施形態の適応例または変形例に、同じ目的を達成するように設計された任意の構成を代用できることを理解されよう。したがって、本発明は、特許請求の範囲およびその等価物によってのみ限定されるように意図されていることは明らかである。
【００４８】
以上本発明の各実施例について説明したが、実施例の理解を容易にするために、実施例ごとの要約を以下に列挙する。
〔１〕  最終部分画素位置を画定するようにトラックに非整数の画素位置を有する光ディスクの光学的に書き込み可能なラベル領域のトラックであって、前記最終部分画素位置のサイズが部分しきい値よりも大きいかどうか判定する段階（６０４）と、
前記最終部分画素位置の前記サイズが前記部分しきい値よりも大きいと判定したとき（６０６）に、前記最終部分画素位置に完全画素を書き込み、前記書き込まれた完全画素が前記トラックの第１完全画素位置と重なるようにする（６０８）光ディスクのトラックへの画素の書込み方法（６００）。
〔２〕  前記最終部分画素位置の前記サイズが前記部分しきい値よりも大きいかどうかを判定する段階が、前記最終部分画素位置の幅が前記部分しきい値よりも大きいかどうか判定する段階を有することを特徴とする〔１〕に記載の光ディスクのトラックへの画素の書込み方法。
〔３〕  前記最終部分画素位置の前記サイズが前記部分しきい値よりも大きいかどうかを判定する段階が、前記最終部分画素位置の前記サイズが静的部分しきい値よりも大きいかどうかを判定する段階を有することを特徴とする〔１〕に記載の光ディスクのトラックへの画素の書込み方法。
〔４〕  前記部分しきい値を、前記最終部分画素位置に近い画素位置の画素の光学濃度に基づいて動的に決定する段階（６０２）をさらに有する〔１〕に記載の光ディスクのトラックへの画素の書込み方法。
〔５〕  前記最終部分画素位置に近い画素位置の画素の明るさと暗さの測定基準に基づいて前記部分しきい値を動的に決定する段階（６０２）をさらに有する〔１〕に記載の光ディスクのトラックへの画素の書込み方法。
〔６〕  前記部分しきい値を、前記最終部分画素位置に近い画素位置の画素の前記光学濃度に基づいて決定する段階が、前記部分しきい値を、前記最終部分画素位置に近い画素位置の画素の前記光学濃度を減算する定数として決定する段階を有することを特徴とする〔５〕に記載の光ディスクのトラックへの画素の書込み方法。
〔７〕  前記部分しきい値を、前記最終部分画素位置に近い画素位置の画素の前記光学濃度に基づいて決定する段階が、
前記最終部分画素位置に近い画素位置の画素の光学濃度が光学濃度しきい値よりも小さい場合に、前記部分しきい値を第１の値に設定する段階と、
前記最終部分画素位置に近い画素位置の画素の前記光学濃度が前記光学濃度しきい値よりも大きい場合に、前記部分しきい値を、前記第１の値よりも小さい第２の値に設定する段階とを有することを特徴とする〔５〕に記載の光ディスクのトラックへの画素の書込み方法。
〔８〕  前記最終部分画素位置に前記完全画素を書き込む段階が、最初に、前記光ディスクの前記光学的に書き込み可能なラベル領域に書き込む画像から、前記最終部分画素位置に書き込む前記完全画素をサンプリングする段階を有することを特徴とする〔１〕に記載の光ディスクのトラックへの画素の書込み方法。
〔９〕  前記最終部分画素位置の前記サイズが前記部分しきい値よりも大きいかどうかを判定し、前記最終部分画素位置の前記サイズが前記部分しきい値よりも大きいと判定したときに、前記光ディスクの前記光学的に書き込み可能なラベル領域の複数の他のトラックのそれぞれの前記最終部分画素位置に前記完全画素を書き込む段階（６１２）をさらに有する〔１〕に記載の光ディスクのトラックへの画素の書込み方法。
〔１０〕    光ディスクの光学的に書き込み可能なラベル領域の非整数の画素位置を有するトラックの累積ギャップ値をリセットする段階（１００２）を有し、
前記トラックの複数の連続パスのうちの各連続パスが、前記トラックの画素位置に画素を選択的に書き込むたび（１００４）に、
前記パスの前記最終部分画素位置のサイズを前記累積ギャップ値に加え（１００６）、
前記累積ギャップ値が前記部分しきい値よりも大きいかどうか判定し（１００８）、
前記累積ギャップ値が前記部分しきい値よりも大きいと判定したときに（１０１０）、
前記書き込まれた完全画素が、前記パスの第１完全画素位置に重なり、かつ次のパスの第１完全画素位置が、書き込まれた前記完全画素の近くに画定されるように、パスの最終部分画素位置に完全画素を書き込み（１０１２）、
前記累積ギャップ値から前記書き込まれた完全画素の前記サイズを減算する段階（１０１４）とを有する光ディスクのトラックへの画素の書込み方法（１０００）。
【図面の簡単な説明】
【００４９】
【図１】本発明の実施形態による多数のトラックを有する光学的に書き込み可能なラベル面を有する光ディスクの図である。
【図２】本発明の実施形態による、トラック上の多数の画素位置とトラック上の最終部分画素位置を示す光ディスクの光学的に書き込み可能なラベル面の部分的トラックの図である。
【図３】トラックの最終部分画素位置を除く光ディスクの光学的に書き込み可能なラベル面のすべてのトラックのすべての画素位置に書き込まれたときに生じる薄い線（ｆａｉｎｔ  ｌｉｎｅ）を示す図である。
【図４】光ディスクの光学的に書き込み可能なラベル面のすべてのトラックの最終部分画素位置に書き込まれ、トラックの完全画素位置に書き込まれていないときに生じる薄い線を示す図である。
【図５】本発明の実施形態による、トラックのうちの１つの最終部分画素位置に完全画素が書き込まれ、他のトラックの最終部分画素位置に完全画素が書き込まれていない光ディスクの光学的に書き込み可能なラベル面の２つの部分的トラックの図である。
【図６】本発明の実施形態による、光ディスクの光学的に書き込み可能なラベル面のトラックの最終部分画素位置に完全画素を選択的に書き込む方法のフローチャートである。
【図７】本発明の実施形態による、部分画素位置の近くの完全画素位置に様々な画素光学濃度を有する非隣接トラック上の２つの部分画素位置の図である。
【図８】本発明の実施形態による、最終部分画素位置に近い完全画素位置の光学画素濃度に基づいて最終部分画素位置の部分しきい値を決定する方法のフローチャートである。
【図９】図９Ａ、図９Ｂ、および図９Ｃは、本発明の実施形態による、光ディスクの光学的に書き込み可能なラベル面のトラックと、トラック上の３回のパスでのトラックの最終部分画素位置の図である。
【図１０】本発明の実施形態による、トラック上で複数回のパスが行われた場合に、光ディスクの光学的に書き込み可能なラベル面のトラックの最終部分画素位置に完全画素を選択的に書き込む方法のフローチャートである。
【図１１】本発明の実施形態による大容量記憶装置の図である。
【図１２】本発明の実施形態による図１１の大容量記憶装置を製造する方法のフローチャートである。
【符号の説明】
【００５０】
５０２  トラック
５０４  トラック
５０８  部分画素位置
５１０Ａ、５１０Ｂ  完全画素位置
５１２  部分画素位置
【図１】
2005044502.tif 000003
【図２】
2005044502.tif 000004
【図３】
2005044502.tif 000005
【図４】
2005044502.tif 000006
【図５】
2005044502.tif 000007
【図６】
2005044502.tif 000008
【図７】
2005044502.tif 000009
【図８】
2005044502.tif 000010
【図９Ａ】
2005044502.tif 000011
【図９Ｂ】
2005044502.tif 000012
【図９Ｃ】
2005044502.tif 000013
【図１０】
2005044502.tif 000014
【図１１】
2005044502.tif 000015
【図１２】
2005044502.tif 000016